(57)【要約】【課題】リチウム一次電池のＯＣＶ特性の推定における過少評価を抑制すること。【解決手段】リチウム一次電池２を所定の放電電流ｉで間欠放電させる放電制御工程と、放電休止期間における端子電圧ＶＬを取得する電圧取得工程と、放電休止期間の端子電圧ＶＬを対数関数に近似する近似工程と、対数関数に基づいてリチウム一次電池２のＯＣＶを推定するＯＣＶ推定工程と、放電期間における放電電流ｉを積算してＤＯＤを算出する放電深度算出工程と、を含み、ＤＯＤとＯＣＶとの対応関係をＯＣＶ特性として推定する、ＯＣＶ特性推定方法。【選択図】図２
2020153934.tif 000002
【特許請求の範囲】
【請求項１】
リチウム一次電池を所定の放電電流で間欠放電させる放電制御工程と、
放電休止期間における前記リチウム一次電池の端子電圧を取得する電圧取得工程と、
前記放電休止期間の前記端子電圧を対数関数に近似する近似工程と、
前記対数関数に基づいて前記リチウム一次電池の開放電圧を推定するＯＣＶ推定工程と、
放電期間における前記放電電流を積算して放電深度を算出する放電深度算出工程と、を含み、
前記放電深度と前記開放電圧との対応関係をＯＣＶ特性として推定する、ＯＣＶ特性推定方法。
【請求項２】
前記対数関数は、定数パラメータα、β、及び時間ｔを用いて、α×ln(t)+βで表される、請求項１に記載のＯＣＶ特性推定方法。
【請求項３】
前記開放電圧は、前記対数関数の前記時間ｔに第１所定値を代入して推定される、請求項２に記載のＯＣＶ特性推定方法。
【請求項４】
前記開放電圧は、前記対数関数の変化率が第２所定値まで低下したときの値として推定される、請求項２に記載のＯＣＶ特性推定方法。
【請求項５】
リチウム一次電池を所定の放電電流で間欠放電させる放電制御部と、
放電休止期間における前記リチウム一次電池の端子電圧を取得する電圧取得部と、
前記放電休止期間の前記端子電圧を対数関数に近似する近似部と、
前記対数関数に基づいて前記リチウム一次電池の開放電圧を推定するＯＣＶ推定部と、
放電期間における前記放電電流を積算して放電深度を算出する放電深度算出部と、を含み、
前記放電深度と前記開放電圧との対応関係をＯＣＶ特性として推定する、ＯＣＶ特性推定装置。
【請求項６】
前記対数関数は、定数パラメータα、β、及び時間ｔを用いて、α×ln(t)+βで表される、請求項５に記載のＯＣＶ特性推定装置。
【請求項７】
前記開放電圧は、前記対数関数の前記時間ｔに第１所定値を代入して推定される、請求項６に記載のＯＣＶ特性推定装置。
【請求項８】
前記開放電圧は、前記対数関数の変化率が第２所定値まで低下したときの値として推定される、請求項６に記載のＯＣＶ特性推定装置。
【発明の詳細な説明】
【技術分野】
【０００１】
本発明は、リチウム一次電池のＯＣＶ特性推定方法、及びＯＣＶ特性推定装置に関する。
【背景技術】
【０００２】
負極に金属リチウムを使用するリチウム電池は、他の電池と比較して小型で出力電圧が高いため、特に小型の電子機器の電力源として広く利用されている。このようなリチウム電池は、二次電池として構成されている場合には充放電の管理のために、一次電池として構成されている場合には交換時期の管理のために、電池残量を把握することが求められる。
【０００３】
ところで、一般的な二次電池は、内部起電力としての開放電圧(ＯＣＶ：Open Circuit Voltage)と充電状態（ＳＯＣ：State Of Charge）との関係であるＳＯＣ−ＯＣＶ特性、すなわちＯＣＶ特性が、電池の劣化状態によらず一定であることが知られており、開放電圧を用いることにより電池残量としての充電状態を推定することができる。そのため、二次電池は、電池残量を推定できるよう予めＯＣＶ特性が取得されていることが多い。そして、当該ＯＣＶ特性は、例えば特許文献１に開示された推定方法などにより推定することができる。
【先行技術文献】
【特許文献】
【０００４】
【特許文献１】特開２０１３−１４００３７号公報
【発明の概要】
【発明が解決しようとする課題】
【０００５】
しかしながら、上記の従来技術は、非水電解質二次電池に対して充電を利用したＯＣＶ特性を推定する方法であるため、例えば充電ができないリチウム一次電池には適用することができない。そのため、リチウム一次電池に対しては、例えば、間欠的な放電により放電深度（ＤＯＤ：Depth Of Discharge）を増加させながら、各放電深度ＤＯＤにおける開放電圧ＯＣＶを順次測定することによりＯＣＶ特性が取得される。
【０００６】
より具体的には、ＯＣＶ特性は、リチウム一次電池の放電深度ＤＯＤを増加させる放電期間と、放電に伴う電圧降下からの回復を待って開放状態で端子電圧を測定する放電休止期間とを繰り返す間欠放電により取得される。しかしながら、端子電圧が電圧降下から十分に回復したとみなすためには、放電深度ごとに例えば数年程度の長期間の開放期間を設ける必要があるため、現実的な測定期間でＯＣＶ特性を取得することができない。一方、現実的な測定期間でＯＣＶ特性を測定しようとすると、電圧降下からの回復期間を適宜打ち切らなければならず、ＯＣＶ特性が過少評価されてしまう。
【０００７】
そして、リチウム一次電池は、例えば微弱な電力を１日に数回程度しか消費しないＩｏＴ機器などの省電力デバイスにおいて使用される状況では、放電停止後の端子電圧が各放電深度において過少評価された開放電圧を上回り、場合によっては残量推定ができなくなってしまう虞が生じる。
【０００８】
本発明は、このような状況に鑑みてなされたものであり、その目的とするところは、リチウム一次電池のＯＣＶ特性の推定における過少評価を抑制することができるＯＣＶ特性推定方法、及びＯＣＶ特性推定装置を提供することにある。
【課題を解決するための手段】
【０００９】
＜本発明の第１の態様＞
本発明の第１の態様は、リチウム一次電池を所定の放電電流で間欠放電させる放電制御工程と、放電休止期間における前記リチウム一次電池の端子電圧を取得する電圧取得工程と、前記放電休止期間の前記端子電圧を対数関数に近似する近似工程と、前記対数関数に基づいて前記リチウム一次電池の開放電圧を推定するＯＣＶ推定工程と、放電期間における前記放電電流を積算して放電深度を算出する放電深度算出工程と、を含み、前記放電深度と前記開放電圧との対応関係をＯＣＶ特性として推定する、ＯＣＶ特性推定方法である。
【００１０】
ＯＣＶ特性推定方法は、リチウム一次電池を間欠放電させつつ放電休止期間における端子電圧の時間変化を対数関数で近似して、長期間の開放による端子電圧の予測値に基づいて各放電深度における開放電圧を推定している。これにより本発明の第１の態様に係るＯＣＶ特性推定方法によれば、リチウム一次電池のＯＣＶ特性の推定における過少評価を抑制することができる。
【００１１】
＜本発明の第２の態様＞
本発明の第２の態様は、上記した本発明の第１の態様において、前記対数関数は、定数パラメータα、β、及び時間ｔを用いて、α×ln(t)+βで表される、ＯＣＶ特性推定方法である。
【００１２】
本発明の第２の態様によれば、リチウム一次電池の電圧回復の近似式を、電池内部のリチウムの拡散に応じた対数関数で表現することにより、端子電圧の時間変化を精度よく近似でき、少数のパラメータによる簡易的な式によって省演算量でＯＣＶ特性を推定することができる。
【００１３】
＜本発明の第３の態様＞
本発明の第３の態様は、上記した本発明の第２の態様において、前記開放電圧は、前記対数関数の前記時間ｔに第１所定値を代入して推定される、ＯＣＶ特性推定方法である。
【００１４】
本発明の第３の態様によれば、放電期間後のリチウム一次電池の開放による端子電圧の予測を開放期間の長さを基準として行うことにより、十分長期の予測値として設定することができるため、推定されるＯＣＶ特性が過少評価される虞をより低減することができる。
【００１５】
＜本発明の第４の態様＞
本発明の第４の態様は、上記した本発明の第２の態様において、前記開放電圧は、前記対数関数の変化率が第２所定値まで低下したときの値として推定される、ＯＣＶ特性推定方法である。
【００１６】
本発明の第４の態様によれば、放電期間後のリチウム一次電池の開放による端子電圧の予測を対数関数の変化率を基準として行うことにより、対数関数の定数パラメータの違いに拘らず端子電圧の予測値が安定したときの値を開放電圧として推定することができる。
【００１７】
＜本発明の第５の態様＞
本発明の第５の態様は、リチウム一次電池を所定の放電電流で間欠放電させる放電制御部と、放電休止期間における前記リチウム一次電池の端子電圧を取得する電圧取得部と、前記放電休止期間の前記端子電圧を対数関数に近似する近似部と、前記対数関数に基づいて前記リチウム一次電池の開放電圧を推定するＯＣＶ推定部と、放電期間における前記放電電流を積算して放電深度を算出する放電深度算出部と、を含み、前記放電深度と前記開放電圧との対応関係をＯＣＶ特性として推定する、ＯＣＶ特性推定装置である。
【００１８】
ＯＣＶ特性推定装置は、リチウム一次電池を間欠放電させつつ放電休止期間における端子電圧の時間変化を対数関数で近似して、長期間の開放による端子電圧の予測値に基づいて各放電深度における開放電圧を推定する。これにより本発明の第５の態様に係るＯＣＶ特性推定装置によれば、リチウム一次電池のＯＣＶ特性の推定における過少評価を抑制することができる。
【００１９】
＜本発明の第６の態様＞
本発明の第６の態様は、上記した本発明の第５の態様において、前記対数関数は、定数パラメータα、β、及び時間ｔを用いて、α×ln(t)+βで表される、ＯＣＶ特性推定装置である。
【００２０】
本発明の第６の態様によれば、リチウム一次電池の電圧回復の近似式を、電池内部のリチウムの拡散に応じた対数関数で表現することにより、端子電圧の時間変化を精度よく近似でき、少数のパラメータによる簡易的な式によって省演算量でＯＣＶ特性を推定することができる。
【００２１】
＜本発明の第７の態様＞
本発明の第７の態様は、上記した本発明の第６の態様において、前記開放電圧は、前記対数関数の前記時間ｔに第１所定値を代入して推定される、ＯＣＶ特性推定装置である。
【００２２】
本発明の第７の態様によれば、放電期間後のリチウム一次電池の開放による端子電圧の予測を開放期間の長さを基準として行うことにより、十分長期の予測値として設定することができるため、推定されるＯＣＶ特性が過少評価される虞をより低減することができる。
【００２３】
＜本発明の第８の態様＞
本発明の第８の態様は、上記した本発明の第６の態様において、前記開放電圧は、前記対数関数の変化率が第２所定値まで低下したときの値として推定される、ＯＣＶ特性推定方法である。
【００２４】
本発明の第８の態様によれば、放電期間後のリチウム一次電池の開放による端子電圧の予測を対数関数の変化率を基準として行うことにより、対数関数の定数パラメータの違いに拘らず端子電圧の予測値が安定したときの値を開放電圧として推定することができる。
【発明の効果】
【００２５】
本発明によれば、リチウム一次電池のＯＣＶ特性の推定における過少評価を抑制することができるＯＣＶ特性推定方法、及びＯＣＶ特性推定装置を提供することができる。
【図面の簡単な説明】
【００２６】
【図１】本発明に係るＯＣＶ特性推定装置を含む測定系を示す回路図である。
【図２】本発明に係るＯＣＶ特性推定方法の手順を示すフローチャートである
【図３】リチウム一次電池の放電休止期間における端子電圧の時間変化を表すグラフである。
【図４】測定された端子電圧の時間変化を近似した対数関数のグラフである。
【図５】本発明に係るＯＣＶ特性推定方法、及び実測値に基づく方法によりそれぞれ取得されたＯＣＶ特性を表すグラフである。
【発明を実施するための形態】
【００２７】
以下、図面を参照し、本発明の実施の形態について詳細に説明する。尚、本発明は以下に説明する内容に限定されるものではなく、その要旨を変更しない範囲において任意に変更して実施することが可能である。また、実施の形態の説明に用いる図面は、いずれも構成部材を模式的に示すものであって、理解を深めるべく部分的な強調、拡大、縮小、又は省略などを行っており、構成部材の縮尺や形状等を正確に表すものとはなっていない場合がある。
【００２８】
また、一般的に電池残量を表す表記としては二次電池における充電状態ＳＯＣ（State Of Charge）が使用されるが、本発明が対象とする電池が一次電池であることから、１００[％]−ＳＯＣと同等の意味である放電深度（ＤＯＤ：Depth Of Discharge）との表現を使用する。
【００２９】
図１は、本発明に係るＯＣＶ特性推定装置１を含む測定系を示す回路図である。本実施形態におけるＯＣＶ特性推定装置１は、ＯＣＶ特性推定の対象とする電池と同じ型式の未使用のリチウム一次電池２、及び負荷３が接続されることにより、リチウム一次電池２を放電させてＤＯＤを０％から１００％まで増加させながら、対象電池のＯＣＶ特性を推定する。
【００３０】
ここで、本実施形態におけるリチウム一次電池２は、二酸化マンガン(ＭｎＯ２)からなる正極と、リチウムからなる負極とがセパレータを介して配置され、有機溶媒に塩類を溶解した電解液が含浸されてなり、例えばコイン形やボタン型、円筒形に生成された一次電池である。また、リチウム一次電池２は、本実施形態においては、定格容量が1600mAhであるものとして説明する。
【００３１】
リチウム一次電池２は、端子間が開放状態のときの開放電圧(ＯＣＶ：Open Circuit Voltage)を内部起電力として出力すると共に、放電時に電圧降下をもたらす内部抵抗Ｒを有する等価回路としてモデル化することができる。このため、リチウム一次電池２の端子電圧ＶＬは、放電電流ｉを用いて下記の式（１）で表される。
ＶＬ＝ＯＣＶ−ｉ×Ｒ・・・(１)
【００３２】
負荷３は、例えば抵抗素子であり、ＯＣＶ特性の推定においてリチウム一次電池２の電力を消費するために設けられる放電抵抗である。
【００３３】
そして、ＯＣＶ特性推定装置１は、例えば予め記憶されたプログラムを実行可能な公知のマイコン制御回路又は汎用計算機からなり、機能的なモジュールとして、放電制御部１０、電圧取得部１１、近似部１２、ＯＣＶ推定部１３、及び放電深度算出部１４を含む。
【００３４】
放電制御部１０は、リチウム一次電池２の負荷３への放電を制御し、所定の放電電流ｉで放電させる放電期間と当該放電を休止させる放電休止期間とを繰り返すことによりリチウム一次電池２を間欠放電させる。
【００３５】
電圧取得部１１は、上記した間欠放電のそれぞれの放電休止期間において、リチウム一次電池２の端子電圧ＶＬを取得する電圧計である。
【００３６】
近似部１２は、上記したそれぞれの放電休止期間において、電圧取得部１１が取得した端子電圧ＶＬの時間変化に対し、例えば最小二乗法を用いてフィッティングすることにより対数関数に近似する。
【００３７】
ＯＣＶ推定部１３は、近似部１２において近似された対数関数に基づいて、詳細を後述するように、リチウム一次電池２のそれぞれの放電休止期間において、ＯＣＶの値を推定する。
【００３８】
放電深度算出部１４は、リチウム一次電池２の放電期間における放電電流ｉを積算することにより、リチウム一次電池２のＤＯＤをそれぞれの放電休止期間ごとに算出する。
【００３９】
続いて、ＯＣＶ特性推定装置１が行うリチウム一次電池２のＯＣＶ特性推定方法について説明する。図２は、本発明に係るＯＣＶ特性推定方法の手順を示すフローチャートである。図２の手順は、例えばＯＣＶ特性推定装置１において記憶されるプログラムとして実行することができる。
【００４０】
ＯＣＶ特性推定方法が開始されると、放電制御部１０は、リチウム一次電池２を所定の放電電流ｉで放電させる制御を行う（ステップＳ１）。例えば、リチウム一次電池２は、８０ｍAの放電電流ｉで１５分間の放電期間に亘り放電制御される。
【００４１】
また、放電期間が経過すると、放電制御部１０は、リチウム一次電池２の放電を停止させ（ステップＳ２）、リチウム一次電池２を開放状態とする。ここでは、リチウム一次電池２の放電休止期間を１６ｈとしている。尚、後述するように、ＯＣＶ特性推定装置１は、リチウム一次電池２のＤＯＤを０％から１００％まで放電させる間に、ステップＳ１の放電期間とステップＳ２の放電休止期間とを繰り返すサイクルによって間欠放電を行う（放電制御工程）。
【００４２】
また、電圧取得部１１は、それぞれの放電休止期間におけるリチウム一次電池２の端子電圧ＶＬを取得することにより（ステップＳ３）、各サイクルにおいて放電休止期間の直前の放電期間において生じた電圧降下から端子電圧ＶＬが復帰する時間変化を取得する（電圧取得工程）。
【００４３】
すなわち、電圧取得部１１は、例えば、各サイクルにおいて放電休止期間が経過したか否かを判定し（ステップＳ４）、放電休止期間が経過するまでの期間においては（ステップＳ４でＮｏ）、ステップＳ３における端子電圧ＶＬの取得を継続する。そして、電圧取得部１１は、例えば１０分おきに端子電圧ＶＬを取得することで端子電圧ＶＬの時間変化を測定し、放電休止期間が経過した段階で端子電圧ＶＬの取得を終了する。尚、電圧取得部１１は、例えば放電休止期間において所定のデータ数だけ端子電圧ＶＬが測定された場合や、放電休止期間のうちの所定の測定時間が経過した時点で端子電圧ＶＬの測定を打ち切ってもよい。
【００４４】
ここで、端子電圧ＶＬの時間変化を具体的に例示する。図３は、リチウム一次電池２の放電休止期間における端子電圧ＶＬの時間変化を表すグラフである。より具体的には、図３においては、リチウム一次電池２のＤＯＤが２０％の場合に測定された放電休止期間の端子電圧ＶＬの時間変化をＡ１で表し、同様にＤＯＤが５０％、８０％の場合をＡ２、Ａ３でそれぞれ表している。図３に見られるように、端子電圧ＶＬは、ＤＯＤの上昇（Ａ１→Ａ２→Ａ３）により電圧値が低下する傾向にあるものの、時間変化としてはいずれも概ね対数関数に従って電圧が回復する。
【００４５】
そこで、近似部１２は、端子電圧ＶＬの時間変化を対数関数に近似する（ステップＳ５、近似工程）。より具体的には、近似部１２は、放電休止時点から経過した時間ｔに対する端子電圧ＶＬを、例えば最小二乗法により定数パラメータα及びβを含む下記の式（２）で表される対数関数の近似式にフィッティングする。
ＶＬ＝α×Ln(ｔ)＋β・・・(２)
【００４６】
図４は、測定された端子電圧ＶＬの時間変化を近似した対数関数のグラフである。図４においては、リチウム一次電池２のＤＯＤが２０％の場合の近似曲線をＢ１で表し、同様にＤＯＤが５０％、８０％の場合をＢ２、Ｂ３でそれぞれ表している。より具体的には、それぞれの近似曲線は、以下の式（３）乃至（５）で表される対数関数である。ここで、図４においては、時間ｔについて０≦ｔ≦25000の範囲で対数関数を表している。
Ｂ１：ＶＬ＝0.0204×Ln(ｔ)＋2.9734・・・(３)
Ｂ２：ＶＬ＝0.0172×Ln(ｔ)＋2.9183・・・(４)
Ｂ３：ＶＬ＝0.0222×Ln(ｔ)＋2.7349・・・(５)
【００４７】
対数近似が完了すると、ＯＣＶ推定部は、近似で得られた対数関数に基づいて、リチウム一次電池２のＯＣＶを推定する（ステップＳ６、ＯＣＶ推定工程）。例えば、ＯＣＶ推定部は、上記の近似により得られた対数関数の時間ｔに第１所定値を代入することにより、端子電圧ＶＬを実測していない時間ｔの範囲においても、端子電圧ＶＬの予測値としてＯＣＶを推定することができる。
【００４８】
ここで、第１所定値とは、リチウム一次電池２の上記した放電休止期間よりも長い時間として予め任意に設定される時間ｔの値である。これにより、ＯＣＶ推定部は、端子電圧ＶＬの回復過程における実測値ではなく、端子電圧ＶＬに見込まれる長期の電圧回復の予測値としてＯＣＶを推定することができる。
【００４９】
また、ＯＣＶ推定部は、上記の第１所定値のような時間ｔについての基準を設定する替わりに、対数関数の変化率が第２所定値まで低下したときの端子電圧ＶＬの値としてＯＣＶを推定してもよい。すなわち、近似により得られた対数関数は、時間ｔの増大と共に変化率が鈍化していくため、対数関数の当該変化率が予め任意に設定された第２所定値よりも低下した時点の端子電圧ＶＬをＯＣＶとして推定してもよい。この場合には、第２所定値は、近似により得られた対数関数のｔ＝１６ｈにおける変化率よりも低くなるように設定される。
【００５０】
ＯＣＶ推定部におけるＯＣＶの推定が完了すると、放電深度算出部１４は、ステップＳ１における放電によって変化した後のリチウム一次電池２のＤＯＤを算出する（ステップＳ７、放電深度算出工程）。より具体的には、放電深度算出部１４は、ＤＯＤが０％の状態からのリチウム一次電池２の放電電流ｉを積算することにより、リチウム一次電池２の定格容量に対する放電電荷量に基づいて各サイクルにおけるＤＯＤを算出する。尚、ＤＯＤの算出においては、放電電流ｉ及び放電時間が放電制御部１０により制御されるため、これらの値を固定値とする本実施形態のような場合には、サイクルごとに放電電荷量を算出せずとも予め算出したＤＯＤの増加幅で求めることができる。
【００５１】
そして、ＯＣＶ特性推定装置１は、算出されたＤＯＤが１００％になったか否か、すなわちリチウム一次電池２の電力を使いきったか否かを判定する（ステップＳ８）。そして、ＤＯＤが１００％に満たない間は（ステップＳ８でＮｏ）、ステップＳ１に戻り上記のシーケンスを繰り返すことにより、放電期間と放電休止期間とを繰り返す間欠放電を通して各サイクルにおけるＯＣＶとＤＯＤとを取得する。
【００５２】
また、ＯＣＶ特性推定装置１は、算出されたＤＯＤが１００％に達した場合には（ステップＳ８）、上記の一連のサイクルを終了する。これにより、０％≦ＤＯＤ≦１００％の範囲におけるＯＣＶとＤＯＤとの対応関係、すなわち、リチウム一次電池２のＯＣＶ特性が推定されたことになる。
【００５３】
図５は、本発明に係るＯＣＶ特性推定方法、及び実測値に基づく方法によりそれぞれ取得されたＯＣＶ特性を表すグラフである。より具体的には、図５において、本発明のＯＣＶ特性推定方法により推定されたＯＣＶ特性をＣ１で表し、放電休止から１６ｈ経過した時点の端子電圧ＶＬをＯＣＶとみなした場合のＯＣＶ特性をＣ２で表している。
【００５４】
また、リチウム一次電池２に対して、放電電流ｉを２０ｍＡとする４秒間の放電期間と１分間の放電休止期間とを繰り返すＩｏＴ機器による運用を想定した放電制御を実施した場合の、ＤＯＤが２０％、４０％、６０％、８０％における端子電圧ＶＬの測定値を白丸で示している。
【００５５】
ところで、特にＩｏＴ機器のような省電力デバイスにおいてリチウム一次電池２が使用される状況では、放電電流ｉ、放電期間、及び放電休止期間の組み合わせにより端子電圧ＶＬが高めに測定されることがある。この場合、図５に見られるように、端子電圧ＶＬの実測値をＯＣＶとみなしたＣ２のＯＣＶ特性は、放電期間の電圧降下から電圧の回復が不十分な状態において測定された端子電圧ＶＬとして取得されているため、測定された端子電圧ＶＬを下回ることが生じ得る。
【００５６】
リチウム一次電池２と同じ型式の電池の使用時においては、運用段階で得られる測定データ、すなわち図５の白丸で表されるような端子電圧ＶＬに基づいて公知の逐次最小二乗法等のアルゴリズムにより電池のＯＣＶを推定した上で、予め取得されたリチウム一次電池２のＯＣＶ特性に照らしてＤＯＤが推定されることになる。
【００５７】
しかしながら、リチウム一次電池２のＯＣＶは、上記の式（１）から明らかなように、実際には端子電圧ＶＬを下回ることがない。このため、図５におけるＣ２のように、測定された端子電圧ＶＬよりも低いＯＣＶ特性が予め取得されている場合には、真のＤＯＤの値よりも過剰に低く推定されるか、又は計算エラーによりＤＯＤを推定することができない虞が生じる。
【００５８】
これに対し、本発明に係るＯＣＶ特性推定方法により推定されたＣ１のＯＣＶ特性は、放電期間の電圧降下から長期間に亘り開放した端子電圧ＶＬの予測値に基づいて推定されているため、測定された端子電圧ＶＬを下回る虞が低減される。このため、ＩｏＴ機器のような省電力デバイスにおいてＯＣＶ特性に基づくＤＯＤ推定を行う場合であっても、ＤＯＤが真値に対して過剰に低く推定される虞、及び計算エラーによりＤＯＤを推定できなく虞を低減することができる。
【００５９】
以上のように、本発明に係るＯＣＶ特性推定方法は、リチウム一次電池２を間欠放電させつつ放電休止期間における端子電圧ＶＬの時間変化を対数関数で近似して、長期間の開放による端子電圧ＶＬの予測値に基づいて各ＤＯＤにおけるＯＣＶを推定している。これにより本発明に係るＯＣＶ特性推定方法によれば、リチウム一次電池２のＯＣＶ特性の推定における過少評価を抑制することができる。
【符号の説明】
【００６０】
１  ＯＣＶ特性推定装置
２  リチウム一次電池
３  負荷
１０  放電制御部
１１  電圧取得部
１２  近似部
１３  ＯＣＶ推定部
１４  放電深度算出部
【図１】
2020153934.tif 000003
【図２】
2020153934.tif 000004
【図３】
2020153934.tif 000005
【図４】
2020153934.tif 000006
【図５】
2020153934.tif 000007